(57)【要約】【課題】比較的少ない水量で、第２トラップに固形物を残留させることなく便器洗浄を行うことが可能な洋風便器設備を提供する。【解決手段】弁Ｖ１を開とすると共に、負圧発生装置２２を作動させて便鉢２を洗浄する。この鉢洗浄終了後に、第２トラップ６に残留する固形物Ｓを排出するために、弁Ｖ２を開弁させ、配管１３から第２トラップ６へ水を噴出させ、汚物を排水口８側へ排出する。その後、便鉢２に水を補給し、溜水面を形成する。【選択図】図５
2006177051.tif 000002
【特許請求の範囲】
【請求項１】
リム及び便鉢と、
該便鉢に連なる第１トラップと、
該第１トラップの下流側に配置された第２トラップと
を備えてなる洋風便器設備において、
該第２トラップの排水方向に向けて接続された水供給手段を備えたことを特徴とする洋風便器設備。
【請求項２】
請求項１において、前記第１トラップと第２トラップとが排水流路によって連通されており、
該排水流路の該第２トラップ側の端部の最低位部が、該第２トラップの溢出側の最上位部より低位となっており、該第２トラップ内に溜水すると該第２トラップが封水されることを特徴とする洋風便器設備。
【請求項３】
請求項１又は２において、前記便鉢の洗浄終了後に前記水供給手段を作動させる制御手段を備えたことを特徴とする洋風便器設備。
【発明の詳細な説明】
【技術分野】
【０００１】
本発明は、第１トラップ及び第２トラップを有した洋風便器設備に関する。
【背景技術】
【０００２】
便鉢の下部に連なる第１トラップ部と、この第１トラップ部の下流側の第２トラップ部と、便器洗浄時に第１トラップ部と第２トラップ部との間から排気してサイホン形成を早期化するための負圧発生用アスピレータとを設けた洋風便器設備が特開平１０−９６２５５号公報に記載されている。
【０００３】
なお、上記特開平１０−９６２５５号公報では、第１トラップと第２トラップとを連通する排水流路の管壁下部の最低位部が、第２トラップの溢出側の最上位部より低位であり、第２トラップに溜水すると封水される完全ダブルトラップとなっている。しかし、この最低位部が最上位部より若干高位であり、最低位部と最上位部との間にエアギャップが存在するため、第２トラップに溜水しても封水されることのない非完全ダブルトラップも公知である（特開平７−４２２１７号公報）。
【特許文献１】特開平１０−９６２５５号公報
【特許文献２】特開平７−４２２１７号公報
【発明の開示】
【発明が解決しようとする課題】
【０００４】
上記特開平１０−９６２５５号公報の完全ダブルトラップ又は上記特開平７−４２２１７号公報の非完全ダブルとラップのいずれにあっても、第２トラップに汚物が残ることがあり、排出性能上も問題が生じるおそれがある。それに対して、汚物を残さないようにする場合、大量の洗浄水が必要となる。
【０００５】
上記特開平１０−９６２５５号公報の完全ダブルトラップの場合、第１、第２トラップ間が負圧となると封水を安定的に保つことができない。また、何らかの影響で第２トラップ下流側の排水管で負圧が発生したときに、サイホン現象が起こり、破封するおそれがある。それに対して、トラップ間を確実に大気圧と連通しておく必要があるが、この場合、トラップ間の臭気がトイレルーム内に漏れることも考えられる。
【０００６】
本発明は、比較的少ない水量で、第２トラップに固形物を残留させることなく便器洗浄を行うことが可能な洋風便器設備を提供することを目的とする。
【課題を解決するための手段】
【０００７】
本発明（請求項１）の洋風便器設備は、リム及び便鉢と、該便鉢に連なる第１トラップと、該第１トラップの下流側に配置された第２トラップとを備えてなる洋風便器設備において、該第２トラップの排水方向に向けて接続された水供給手段を備えたことを特徴とするものである。
【０００８】
請求項２の洋風便器設備は、請求項１において、前記第１トラップと第２トラップとが排水流路によって連通されており、該排水流路の該第２トラップ側の端部の最低位部が、該第２トラップの溢出側の最上位部より低位となっており、該第２トラップ内に溜水すると該第２トラップが封水されることを特徴とするものである。
【０００９】
請求項３の洋風便器設備は、請求項１又は２において、前記便鉢の洗浄終了後に前記水供給手段を作動させる制御手段を備えたことを特徴とするものである。
【発明の効果】
【００１０】
本発明（請求項１）の洋風便器設備にあっては、第２トラップに水を供給して第２トラップ内に残留する固形物を第２トラップの下流側に流出させることができる。そのため、第２トラップ内の固形物を比較的少ない水量で迅速に流出させることができる。
【００１１】
請求項２の洋風便器設備にあっては、第２トラップ内に溜水すると該第２トラップが封水されるため、サイホン排出流が迅速かつ容易に形成される。
【００１２】
なお、サイホン排出流の停止後、水供給手段から給水して第２トラップ内の水を勢い良く排出することにより、第２トラップを破封することができる。このため、第１トラップと第２トラップの間の排水流路が負圧の状態のままとなることがなく、便鉢内の流水が排水流路側に引き込まれて便鉢内の溜水面が低くなることが防止される。
【００１３】
請求項３の洋風便器設備にあっては、便鉢の洗浄終了後に水供給手段を作動させる制御手段を備えている。このため、水供給手段の作動時間を短くし、極めて少ない水量で第２トラップ内の固形物を下流側に流出させることができる。
【発明を実施するための最良の形態】
【００１４】
以下、図面を参照して本発明の実施の形態を詳細に説明する。
【００１５】
第１図〜第７図は実施の形態に係る洋風便器設備の洗浄動作を説明する断面図である。
【００１６】
陶器製の洋風便器本体１における便鉢２の上部内周にリム３が設けられている。便鉢２の下部に第１トラップ４が設けられている。この第１トラップ４は第１排水流路５を介して第２トラップ６と連通している。この第１排水流路５は、該第１トラップ４から斜め上方に立ち上る上昇部と、該上昇部に連なり、下方に立ち下がって第２トラップ６と連なる立下部とからなる。
【００１７】
この第２トラップ６は、第２排水流路７を介して排水口８と連通している。この第２トラップ６は、該第１排水流路５の管壁下部の最低位部６ｂの下側を回り込み、次いで溢出用の最高位部６ａに到るＵ字状流路よりなる。この第２トラップ６の該最高位部６ａの高さは、該最低位部６ｂよりも若干高位となっている。
【００１８】
便器本体１のリム３に対し、洗浄制御弁Ｖ１を備えた給水管１０が接続されている。この給水管１０の洗浄制御弁Ｖ１より上流側から、分岐管１１が分岐している。この分岐管１１は、逆Ｕ字形状に立ち上がるＵ字管１２を介して給水弁Ｖ２の流入口に接続されている。この給水弁Ｖ２の流出口に水供給手段としての水供給配管１３の一端が接続され、その他端が、第２トラップ６に接続されている。この水供給配管１３の水流出口は、第２トラップ６の上流側周壁部に開口している。この水流出口は、最低位部６ｂよりも低位となる高さに配置されている。Ｕ字管１２は、第２排水流路７の排水が給水管１０側に逆流するのを防止するためのものである。
【００１９】
第１排水流路５の上部に、負圧伝達流路２１を介して真空ポンプ等の負圧発生装置２２が接続されている。
【００２０】
洗浄制御弁Ｖ１及び給水弁Ｖ２は、それぞれ弁制御手段３０によって開閉制御される。この弁制御手段３０は、本実施の形態では、便器本体１の後部上面に載置された便座ボックス（図示略）内に配置されている。なお、Ｓは廃棄物やペーパー等の固形物である。
【００２１】
このように構成された洋風便器設備の作動について次に説明する。
【００２２】
［非洗浄時］
非洗浄時には、第１図の通り、洗浄制御弁Ｖ１及び給水弁Ｖ２は閉弁されている。
【００２３】
［洗浄時］
１．第２トラップ封水のための鉢洗浄
図示しない洗浄スイッチが操作されると、第２図の通り、洗浄制御弁Ｖ１が開弁する。洗浄制御弁Ｖ１が開弁すると、給水管１０から洗浄制御弁Ｖ１及びリム３を通して便鉢２内に洗浄水が給水され、便鉢２内が洗浄される。便鉢２内に供給された水は、第１トラップ４、第１排水流路５及び第２トラップ６を経て排水口８から流出する。この便鉢２からの流出水により第２トラップ６内の水位が上昇し、最低位部６ｂが水中に没し、第２トラップ６が封水状態となる。
【００２４】
２．サイホン作用による便鉢洗浄
第２トラップ６内の水位が最低位部６ｂより高位となり、この第２トラップ６が封水された後、便鉢洗浄を継続したまま、第３図の通り、負圧発生装置２２が作動する。この負圧発生装置２２の作動により、第１排水流路５内が減圧され、第１トラップ４に早期かつ強力にサイホン排出流が形成される。サイホン排出流が形成された後は、負圧発生装置２２が停止し、負圧発生装置２２が汚水を吸い込まないようにする。
【００２５】
３．鉢洗浄停止
このサイホン排出流により便鉢２内の固形物Ｓが排出された後、洗浄制御弁Ｖ１が閉弁する。これにより、第４図の通り、サイホン排出流が停止する。なお、便鉢２の底部には少量の溜水が残留する。第２トラップ６内は、封水状態となっている。この第２トラップ６内には固形物Ｓの一部が残留する。
【００２６】
４．第２トラップからの汚物排出
この第２トラップ６内の汚物排出のために、第５図の通り、給水弁Ｖ２が開弁し、給水管１０から分岐管１１、Ｕ字管１２及び水供給配管１３を介して、第２トラップ６に水が比較的高流速で流出する。これにより、第２トラップ６内の固形物Ｓが排水口８側へ排出される。
【００２７】
所定時間経過後、第６図の通り、給水弁Ｖ２が閉弁する。なお、水供給配管１３からの給水により、第２トラップ６内の水が固形物Ｓと共に勢い良く排出されるため、給水弁Ｖ２の閉弁後は、第６図の通り、第２トラップ６内の水位は最低位部６ｂより低位となり、第２トラップ６は破封されている。
【００２８】
５．便鉢２への溜水
第６図の段階では、便鉢２内の水位が低いものとなっているので、第７図の通り、洗浄制御弁Ｖ１が所定時間だけ開弁して、便鉢２内に水を補給し、十分な溜水面を形成する。
【００２９】
以上の第１図〜第７図の一連の工程により、便器の洗浄が終了する。
【００３０】
本実施の形態では、第２トラップ６の最下位部６ｂを溢出側の最上位部６ａよりも若干下位としたが、最下位部６ｂを最上位部６ａよりも若干上位としてもよい。この場合にあっても、洗浄時に負圧発生装置が作動したときに第２トラップ６内の溜水が上方に吸引されることにより、該最下位部６ｂが水に漬かって第２排水流路５が封水されるため、サイホン排出流が形成される。
【００３１】
第８〜１５図は異なる実施の形態に係る洋風便器設備の洗浄動作を説明する断面図である。
【００３２】
本実施の形態に係る洋風便器設備は、給水弁Ｖ２の下流の水供給配管１３にエゼクタ２０が設けられている。
【００３３】
このエゼクタ２０は、給水管１０からの給水が上流端（作動流体導入口）に導入され、下流端（排出水流の流出口）からの排出水流が第２トラップ６に流出する方向に取り付けられている。
【００３４】
エゼクタ２０のスロート部に設けられた空気吸引口２０ａに、負圧伝達流路２１の一端が接続されている。この負圧伝達流路２１の他端は、第１排水流路５の上端に接続されている。
【００３５】
負圧伝達流路２１の途中に負圧タンク４０が設けられている。該負圧タンク４０と第１排水流路５との間の負圧伝達流路２１に、負圧伝達弁Ｖ３が設けられ、該負圧タンク４０とエゼクタ２０との間の負圧伝達流路２１に、流体が負圧タンク４０からエゼクタ２０へ流れることを許容し、これと反対方向へ流れることを阻止する逆止手段としての逆止弁Ｖ４が設けられている。
【００３６】
また、洗浄制御弁Ｖ１及び給水弁Ｖ２に加え、負圧伝達弁Ｖ３も電気配線によって弁制御手段３０に接続されている。
【００３７】
本実施の形態に係る洋風便器設備のその他の構成は、第１〜７図の洋風便器設備と同様であり、第１〜７図と同一の符号は同一の部分を示している。
【００３８】
このように構成された洋風便器設備の作動について次に説明する。
【００３９】
［非洗浄時］
非洗浄時には、第８図の通り、洗浄制御弁Ｖ１，給水弁Ｖ２，負圧伝達弁Ｖ３は閉弁している。
【００４０】
［洗浄時］
１．第２トラップ封水のための鉢洗浄
図示しない洗浄スイッチが操作されると、第９図の通り、洗浄制御弁Ｖ１が開弁する。洗浄制御弁Ｖ１が開弁すると、給水管１０から洗浄制御弁Ｖ１及びリム３を通して便鉢２内に洗浄水が給水され、便鉢２内が洗浄される。便鉢２内に供給された水は、第１トラップ４、第１排水流路５及び第２トラップ６を経て排水口８から流出する。この便鉢２からの流出水により第２トラップ６内の水位が上昇し、最低位部６ｂが水中に没し、第２トラップ６が封水状態となる。
【００４１】
２．サイホン作用による便鉢洗浄
第２トラップ６内の水位が最低位部６ｂより高位となり、この第２トラップ６が封水された後、便鉢洗浄を継続したまま、第１０図の通り、負圧伝達弁Ｖ３が開弁する。この負圧伝達弁Ｖ３の開弁により、第１排水流路５の上部と負圧タンク４０とが連通し、該負圧タンク４０の負圧によって第１トラップ５内が減圧され、第１トラップ４に早期かつ強力にサイホン排出流が形成される。
【００４２】
３．鉢洗浄停止
このサイホン排出流により便鉢２内の固形物Ｓが排出された後、第１１図の通り、洗浄制御弁Ｖ１が閉弁する。このとき、第１トラップ４及び第２トラップ６が水封されている。また、負圧伝達弁Ｖ３は開弁のままとなっているため、トラップ４，６の間は負圧となっている。このため、第１１図の通り、第１トラップ４では、その最下位部よりも第１排水流路５側の水位が、最下位部よりも便鉢２側の水位よりも高くなっている。また、第２トラップ６では、最下位部６ｂよりも上流側の水位が、下流側の水位よりも高くなっている。
【００４３】
なお、排出しきれなかった固定物Ｓが、第１排水流路５ないし第２トラップ６内に残留している。
【００４４】
４．第２トラップ６からの汚物排出及び負圧タンク４０への負圧蓄積
この第１排水流路５ないし第２トラップ６内の汚物排出のために、第１２図の通り、負圧伝達弁Ｖ３が閉弁すると共に、洗浄制御弁Ｖ１，給水弁Ｖ２が開弁する。洗浄制御弁Ｖ１の開弁により、便鉢２へリム３から水が供給される。また、これと共に、給水弁Ｖ２が開弁することにより、給水管１０からエゼクタ２０、水供給配管１３を通って第２トラップ６に水が比較的高流速で流出する。これにより、第１排水流路５ないし第２トラップ６内の残留固形物Ｓが排水口８に排出される。
【００４５】
また、上記の通り給水弁Ｖ２が開弁してエゼクタ２０に水が流れることに伴い、該エゼクタ２０の空気吸引口２０ａに負圧が発生する。前記の通り、負圧伝達弁Ｖ３が閉となっているので、この負圧タンク４０内に負圧が蓄積される。
【００４６】
所定時間経過後、第１３図の通り、洗浄制御弁Ｖ１が閉弁する。なお、水供給配管１３から比較的高流速で水を第２トラップ６内に流出させるため、第１３図の通り、第２トラップ６内の水位は最低位部６ｂより低位となり、第２トラップ６は破封される。
【００４７】
第２トラップ６内の固形物Ｓの全量を排出させる程度の時間が経過した後、第１４図の通り、給水弁Ｖ２が閉弁する。なお、この給水弁Ｖ２が閉弁するまでエゼクタ２０が作動しているので、負圧タンク４０内は十分に負圧が蓄積される。
【００４８】
５．便鉢２への溜水
第１４図の段階では、便鉢２内の水位が低いものとなっているので、第１５図の通り、洗浄制御弁Ｖ１が所定時間だけ開弁して、便鉢２内に水を補給し、十分な溜水面を形成する。
【００４９】
以上の第８図〜第１５図の一連の工程により、便器の洗浄が終了する。
【００５０】
上記実施の形態は本発明の一例であり、本発明は上記実施の形態に限定されるものではない。例えば、第１図〜第７図の洋風便器設備において、負圧伝達流路２１及び負圧発生装置２２が省略されてもよい。
【００５１】
第１〜１５図では、水供給配管１６は第２トラップ６の後部に水平に接続されているが、第１６図の通り、第２トラップ６の下部に、第２トラップ６の下流側に向けて接続されている方が好ましい。また、第１７図の通り、第１排水流路５の後部の下端側に、第２トラップ６の底部に向けて接続されてもよい。
【図面の簡単な説明】
【００５２】
【図１】実施の形態に係る洋風便器設備の洗浄動作を説明する断面図である。
【図２】実施の形態に係る洋風便器設備の洗浄動作を説明する断面図である。
【図３】実施の形態に係る洋風便器設備の洗浄動作を説明する断面図である。
【図４】実施の形態に係る洋風便器設備の洗浄動作を説明する断面図である。
【図５】実施の形態に係る洋風便器設備の洗浄動作を説明する断面図である。
【図６】実施の形態に係る洋風便器設備の洗浄動作を説明する断面図である。
【図７】実施の形態に係る洋風便器設備の洗浄動作を説明する断面図である。
【図８】異なる実施の形態に係る洋風便器設備の洗浄動作を説明する断面図である。
【図９】異なる実施の形態に係る洋風便器設備の洗浄動作を説明する断面図である。
【図１０】異なる実施の形態に係る洋風便器設備の洗浄動作を説明する断面図である。
【図１１】異なる実施の形態に係る洋風便器設備の洗浄動作を説明する断面図である。
【図１２】異なる実施の形態に係る洋風便器設備の洗浄動作を説明する断面図である。
【図１３】異なる実施の形態に係る洋風便器設備の洗浄動作を説明する断面図である。
【図１４】異なる実施の形態に係る洋風便器設備の洗浄動作を説明する断面図である。
【図１５】異なる実施の形態に係る洋風便器設備の洗浄動作を説明する断面図である。
【図１６】別の実施の形態に係る洋風便器設備の断面図である。
【図１７】さらに別の実施の形態に係る洋風便器設備の断面図である。
【符号の説明】
【００５３】
１  便器本体
２  便鉢
３  リム
４  第１トラップ
５  第１排水流路
６  第２トラップ
７  第２排水流路
８  排水口
１０  給水管
１１  分岐管
１３，１３Ａ，１３Ｂ  水供給配管
２０  エゼクタ
２１  負圧伝達流路
２２  負圧発生装置
３０  弁制御手段
４０  負圧タンク
Ｖ１  洗浄制御弁
Ｖ２  給水弁
Ｖ３  負圧伝達弁
Ｖ４  逆止弁
【図１】
2006177051.tif 000003
【図２】
2006177051.tif 000004
【図３】
2006177051.tif 000005
【図４】
2006177051.tif 000006
【図５】
2006177051.tif 000007
【図６】
2006177051.tif 000008
【図７】
2006177051.tif 000009
【図８】
2006177051.tif 000010
【図９】
2006177051.tif 000011
【図１０】
2006177051.tif 000012
【図１１】
2006177051.tif 000013
【図１２】
2006177051.tif 000014
【図１３】
2006177051.tif 000015
【図１４】
2006177051.tif 000016
【図１５】
2006177051.tif 000017
【図１６】
2006177051.tif 000018
【図１７】
2006177051.tif 000019